【手続補正書】
【提出日】令和2年2月7日(2020.2.7)
【手続補正１】
【補正対象書類名】特許請求の範囲
【補正対象項目名】全文
【補正方法】変更
【補正の内容】
【特許請求の範囲】
【請求項１】
サーバを介して第１端末と通信する端末に実行されるプログラムであって、
前記第１端末から送信された第１コンテンツと、前記端末から前記第１端末に送信された第２コンテンツとを表示するトークルームを前記端末の表示部に表示することと、
前記第１端末の位置に関する第１位置情報に基づく、第１オブジェクトに関する情報を少なくとも含む第１エフェクト情報を、前記端末の通信部によって前記サーバから受信することと、
前記第１エフェクト情報に基づき、前記トークルームに表示された前記第１コンテンツと前記第２コンテンツとに前記第１オブジェクトを重畳させて表示すること、または前記第１エフェクト情報に基づき、前記トークルームに表示された前記第１コンテンツと前記第２コンテンツとの背景に前記第１オブジェクトを表示することとが前記端末に実行される。
【請求項２】
請求項１に記載のプログラムであって、
前記端末の位置に関する第２位置情報を前記サーバに前記通信部によって送信することと、
前記第２位置情報に基づく、第２オブジェクトに関する情報を含む第２エフェクト情報を、前記通信部によって前記サーバから受信することと、
前記第２エフェクト情報に基づき、前記トークルームに表示された前記第１コンテンツと前記第２コンテンツとに前記第２オブジェクトを重畳させて表示すること、または前記第２エフェクト情報に基づき、前記トークルームに表示された前記第１コンテンツと前記第２コンテンツとの背景に前記第２オブジェクトを表示することとが前記端末に実行される。
【請求項３】
請求項１または請求項２に記載のプログラムであって、
前記表示部に表示された前記第１オブジェクトに対する入力に基づいて、前記第１オブジェクトに関連付けられた情報を前記サーバから受信することと、
前記情報を、前記端末の表示部に表示することとが前記端末に実行される。
【請求項４】
請求項３に記載のプログラムであって、
前記情報は、前記第１オブジェクトに関連付けられた位置に関する情報である。
【請求項５】
請求項４に記載のプログラムであって、
前記情報は、前記第１オブジェクトに関連付けられた位置に関する商品情報、または広告情報を含む。
【請求項６】
請求項３から請求項５のいずれか一項に記載のプログラムであって、
前記情報は、乗り物の待ち時間に関する情報を含む。
【請求項７】
請求項３から請求項６のいずれか一項に記載のプログラムであって、
前記情報を前記サーバから受信することは、前記第１オブジェクトに関連付けられた位置に前記端末が位置する場合、第１情報を前記サーバから受信し、前記第１オブジェクトに関連付けられた位置に前記端末が位置しない場合、前記第１情報とは異なる第２情報を前記サーバから受信することを含む。
【請求項８】
請求項１から請求項７のいずれか一項に記載のプログラムであって、
前記第１オブジェクトは、画像、動画、音声、およびテキストデータを含む。
【請求項９】
請求項１から請求項８のいずれか一項に記載のプログラムであって、
前記第１オブジェクトを非表示とする入力をユーザから受け付けることと、
前記非表示とする入力を受け付けた場合、前記第１オブジェクトを表示しないことが前記端末に実行される。
【請求項１０】
請求項１から請求項９のいずれか一項に記載のプログラムであって、
前記第１エフェクト情報は、前記第１オブジェクトの表示態様に関する情報を含み、
前記第１オブジェクトは、前記第１オブジェクトの表示態様に関する情報に基づいて、前記第１オブジェクトの表示態様が変更されて前記表示部に表示される。
【請求項１１】
サーバを介して第１端末と通信する端末の情報処理方法であって、
前記第１端末から送信された第１コンテンツと、前記端末から前記第１端末に送信された第２コンテンツとを表示するトークルームを前記端末の表示部に表示することと、
前記第１端末の位置に関する第１位置情報に基づく、第１オブジェクトに関する情報を少なくとも含む第１エフェクト情報を、前記端末の通信部によって前記サーバから受信することと、
前記第１エフェクト情報に基づき、前記トークルームに表示された前記第１コンテンツと前記第２コンテンツとに前記第１オブジェクトを重畳させて表示すること、または前記第１エフェクト情報に基づき、前記トークルームに表示された前記第１コンテンツと前記第２コンテンツとの背景に前記第１オブジェクトを表示することとを含む。
【請求項１２】
サーバを介して第１端末と通信する端末であって、
前記第１端末から送信された第１コンテンツと、前記端末から前記第１端末に送信された第２コンテンツとを表示するトークルームを表示する表示部と、
前記第１端末の位置に関する第１位置情報に基づく、第１オブジェクトに関する情報を少なくとも含む第１エフェクト情報を前記サーバから受信する通信部とを備え、
前記表示部は、前記第１エフェクト情報に基づき、前記トークルームに表示された前記第１コンテンツと前記第２コンテンツとに前記第１オブジェクトを重畳させて表示する、または前記第１エフェクト情報に基づき、前記トークルームに表示された前記第１コンテンツと前記第２コンテンツとの背景に前記第１オブジェクトを表示する。
【手続補正２】
【補正対象書類名】明細書
【補正対象項目名】０００６
【補正方法】変更
【補正の内容】
【０００６】
本開示の一実施形態に係るプログラムは、サーバを介して第１端末と通信する端末に実行されるプログラムであって、第１端末から送信された第１コンテンツと、端末から第１端末に送信された第２コンテンツとを表示するトークルームを端末の表示部に表示することと、第１端末の位置に関する第１位置情報に基づく、第１オブジェクトに関する情報を少なくとも含む第１エフェクト情報を、端末の通信部によってサーバから受信することと、第１エフェクト情報に基づき、トークルームに表示された第１コンテンツと第２コンテンツとに第１オブジェクトを重畳させて表示すること、または第１エフェクト情報に基づき、トークルームに表示された第１コンテンツと第２コンテンツとの背景に第１オブジェクトを表示することとが端末に実行される。
【手続補正３】
【補正対象書類名】明細書
【補正対象項目名】０００７
【補正方法】変更
【補正の内容】
【０００７】
本開示の一実施形態に係る情報処理方法は、サーバを介して第１端末と通信する端末の情報処理方法であって、第１端末から送信された第１コンテンツと、端末から第１端末に送信された第２コンテンツとを表示するトークルームを端末の表示部に表示することと、第１端末の位置に関する第１位置情報に基づく、第１オブジェクトに関する情報を少なくとも含む第１エフェクト情報を、端末の通信部によってサーバから受信することと、第１エフェクト情報に基づき、トークルームに表示された第１コンテンツと第２コンテンツとに第１オブジェクトを重畳させて表示すること、または第１エフェクト情報に基づき、トークルームに表示された第１コンテンツと第２コンテンツとの背景に第１オブジェクトを表示することとを含む。
【手続補正４】
【補正対象書類名】明細書
【補正対象項目名】０００８
【補正方法】変更
【補正の内容】
【０００８】
本開示の一実施形態に係る端末は、サーバを介して第１端末と通信する端末であって、第１端末から送信された第１コンテンツと、端末から第１端末に送信された第２コンテンツとを表示するトークルームを表示する表示部と、第１端末の位置に関する第１位置情報に基づく、第１オブジェクトに関する情報を少なくとも含む第１エフェクト情報をサーバから受信する通信部とを備え、表示部は、第１エフェクト情報に基づき、トークルームに表示された第１コンテンツと第２コンテンツとに第１オブジェクトを重畳させて表示する、または第１エフェクト情報に基づき、トークルームに表示された第１コンテンツと第２コンテンツとの背景に第１オブジェクトを表示する。
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】